(57)【要約】【課題】フィルムを基材とする際の歩留まりが向上するとともに、曲げや外部装置との着脱の繰り返しによる電極引き出し線の断、表示不良が起こりにくい電子表示媒体を提供する。【解決手段】電極２ａ，２ｂ間に、表示層５を挟んだ電子表示媒体であって、一対の基板１ａ，１ｂそれぞれは、表示層５に重なる表示領域１ａ１，１ｂ１に隣接する非表示領域の、相互に異なる位置に開口部３ａ，３ｂを有し、電極２ａ，２ｂは、一対の基板の表示領域に形成された第１電極部２ａ１，２ｂ１と、非表示領域のうちの開口部３ａ，３ｂが形成された位置とは異なる位置に広がる第２電極部２ａ２，２ｂ２とを有するものであって、第２電極部２ａ，２ｂに接触するとともに第２電極部が形成された基板に対向する基板上の開口部３ａ，３ｂから覗く導電部材８を備えた。【選択図】  図２
2004177474.tif 000002
【特許請求の範囲】
【請求項１】
一対の基板それぞれに形成された電極間に、画像が表示される表示層を挟んだ電子表示媒体であって、
前記一対の基板それぞれは、前記表示層に重なる表示領域に隣接する非表示領域の、相互に異なる位置に開口部を有し、
前記電極は、前記一対の基板の前記表示領域に形成された第１電極部と、前記非表示領域のうちの前記開口部が形成された位置とは異なる位置に広がる第２電極部とを有するものであって、
前記第２電極部に接触するとともに該第２電極部が形成された基板に対向する基板上の開口部から覗く導電部材を備えたものであることを特徴とする電子表示媒体。
【請求項２】
前記第２電極部と該第２電極部が形成された基板に対向する基板上の開口部は、前記一対の基板の非表示領域の、互いに対向する位置に形成されたものであることを特徴とする請求項１記載の電子表示媒体。
【請求項３】
前記電極間に、前記表示層に加えて、光の照射により抵抗値が変化する光導電層を挟んだものであることを特徴とする請求項１記載の電子表示媒体。
【請求項４】
前記開口部から覗く前記導電部材と接触して該開口部を覆うとともに、該開口部が形成された基板に対向する基板表面に巻きまわされた導電性テープを備えたことを特徴とする請求項１から３のうちの何れか１項記載の電子表示媒体。
【発明の詳細な説明】
【０００１】
【発明の属する技術分野】
本発明は、フレキシブルなフィルム基板内面に形成された電極間に表示層が挟まれた電子表示媒体であって、基板表面にその電極と導通する部分が形成された電子表示媒体に関する。
【０００２】
【従来の技術】
従来、ポリマーフィルム等の可撓性を有するフレキシブルな基板を用いた光学的な表示パネルは、ガラス基板を用いる表示パネルに比べて薄くて軽く、しかも曲げることが容易であるという利点を有し、電子ディスプレイ装置、特に携帯し、手に持ってその表示を見るタイプのものに多用されている。
【０００３】
なかでも、コレステリック液晶を透明な樹脂材料中に分散した、自己保持型液晶と樹脂との複合体を用いる液晶表示デバイスは、安定したメモリー性を有するとともに、アクテイブな駆動回路が不要であり、単純なマトリクス駆動でも高精細表示が可能であることから注目され、さらに、高い反射コントラストが得られるものは反射型ディスプレイ用として注目されている。
【０００４】
反射型ディスプレイは、高速表示と高解像度とを満たす他、フリッカがなく表示が見易い上、目が疲れないというマン・マシンインタフェース上の要請や、無電源状態で情報表示や情報保存が可能であるため、省エネによる環境保全上の要請をも満たすものである。特に、コレステリック液晶を透明な樹脂材料中に分散してなる自己保持型液晶と樹脂との複合体を用いた表示層および光導電層が積層され、電圧印加と露光とによって画像が表示される電子表示媒体は、紙の代替物として、または電子ディスプレイに表示された情報のハードコピー用として有力であるとともに、繰り返し書き換えができるため省資源による環境保全上の要請を満たす。
【０００５】
パソコンや携帯電話、ＰＨＳを初めとする各種情報端末やインターネット等に代表される情報ネットワークの発達により情報量は益々増加の一途をたどり、ハードコピーのために必要な紙需要も増加傾向にある。したがって、紙に代わる情報表示媒体としての電子ペーパーの開発は急務であると考えられる。特に、近年は、文字情報であっても画像情報が多く含まれる傾向にあることから、画像情報を高精細に再現できる「電子ペーパー」が求められている。
【０００６】
一方、電子ペーパーは、紙のようなフレキシビリティを確保するため、フィルム基材が使用され、そのフィルム基材に電極を形成し、その電極と外部接続用電極端子との間をプリント配線などで接続する方法が知られている。
【０００７】
しかし、プリント配線部分と基板との熱膨張率の違いから、電子ペーパに変形や剥離が生じ易く、基板に切り込みを入れることにより剥離を防止しているものがある（特許文献１参照）。
【０００８】
また、「電子ペーパー」を調光液晶シートとして活用するに当たり、製造コストの観点から、基板の一部を部分的に露出させて、リード線を接続し、そのリード線を外部電極端子に接続するものもある（特許文献２参照）。
【０００９】
図１は、基板の一部を露出させた電子表示媒体の一例を示す断面構造である。
【００１０】
図１に示す電子表示媒体は、一対の基板１ａ，１ｂの内面に電極２ａ，２ｂが形成され、その電極２ａ，２ｂ間に液晶層５が挟まれている。そして、一対の基板１ａ，１ｂは互い違いに、一部分が剥離されて電極２ａ，２ｂを露出させ、その露出された電極部分と外部接続端子との間で導通をとるように構成されている。
【００１１】
この構成において、上下の基板から電極部が露出する構造のため、その露出電極に外部接続端子が接続されると、その露出電極が横方向に引っ張られ、上下基板の剥がれが生じやすい。また、露出電極が左右に分かれており、外部接続端子との接続が煩雑である。さらに、基板がフレキシブルであるがゆえに、配線や電極パターンを微細加工することが難しく、引き出し線が断線しすい。また、電子ペーパーを曲げると、表示エリアや、表示エリアから露出電極にかけての引き出し線の断線、表示欠陥が生じやすい上、露出電極は、フィルム基板の端に形成されることから、曲げや屈曲、および外部端子との着脱の際の衝撃に弱いという問題がある。
【００１２】
【特許文献１】特開平６−１８９１４号公報（段落番号００１３〜段落番号００１６、図１〜図４）
【特許文献２参照】特許第２７２４４７１号公報（実施例、図１〜図３）
【００１３】
【発明が解決しようとする課題】
本発明は、上記の事情に鑑み、フレキシブルなフィルムを基材とする際の歩留まりの向上を図るとともに、使用の際の曲げや外部装置との着脱の繰り返しによっても電極引き出し線の断や、表示不良が生じない電子表示媒体を提供することを目的とする。
【００１４】
【課題を解決するための手段】
上記の目的を達成する本発明の電子表示媒体は、一対の基板それぞれに形成された電極間に、画像が表示される表示層を挟んだ電子表示媒体であって、
上記一対の基板それぞれは、上記表示層に重なる表示領域に隣接する非表示領域の、相互に異なる位置に開口部を有し、
上記電極は、上記一対の基板の上記表示領域に形成された第１電極部と、上記非表示領域のうちの上記開口部が形成された位置とは異なる位置に広がる第２電極部とを有するものであって、
上記第２電極部に接触するとともに該第２電極部が形成された基板に対向する基板上の開口部から覗く導電部材を備えたものであることを特徴とする。
【００１５】
このように、対向する基板それぞれの非表示領域の、相互に異なる位置に開口部と第２電極部とが形成され、第２電極部に接触するとともに対向する基板上の開口部から覗く導電部材を備えられているので、開口部でその導電部材に接触することにより電極との導通が取れる。したがって、電極からコネクタなど電極端子への微細な配線を不要とし、曲げに対しても柔軟に対応が出来るとともに、曲げや、外部接続端子との繰返し接続を行っても、断線や基板剥がれによる画像欠陥が生じにくい。
【００１６】
【発明の実施の形態】
以下、本発明の電子記録媒体の実施形態について説明する。
【００１７】
図２は、本実施形態の電子表示媒体を示す図である。
【００１８】
図２に示すように、電子表示媒体は、一対の基板１ａ，１ｂ内面にそれぞれ電極２ａ、２ｂが形成され、それぞれの電極２ａ、２ｂ間に、液晶を含有するカプセルからなる液晶層５と、遮光膜６と、光の照射により抵抗値が変化する光導電層４とが積層されている。
【００１９】
各基板１ａ，１ｂには、液晶層５に重なる矩形の表示領域１ａ１，１ｂ１と、その矩形の表示領域１ａ１，１ｂ１に隣接する非表示領域の相互に異なる位置に開口部３ａ，３ｂを有する。
【００２０】
電極２ａは、上面を形成する基板１ａの表示領域に形成された矩形の第１電極部２ａ１、およびその第１電極部２ａ１から非表示領域に広がる第２電極部２ａ２とを有し、第２電極部２ａ２は、下面の基板１ｂ上の開口部３ｂに対向している。また、電極２ｂは、下面を形成する基板１ｂの表示領域に形成された矩形の第１電極部２ｂ１、およびその第１電極部２ｂ１から非表示領域に広がる第２電極部２ｂ２を有し、第２電極部２ｂ２は、上面の基板１ａ上の開口部３ａと対向している。そして、第２電極部２ａ２と開口部３ｂとの間、および第２電極部２ｂ２と開口部３ａとの間には、それぞれ導電部材８が充填され、導電部材８それぞれは、第２電極部２ａ２，２ｂ２と接触している。したがって、開口部３ａ，３ｂにおいてそれぞれの導電性部材８に接触すると電極２ａ，２ｂそれぞれと導通が取れるように構成されている。
【００２１】
ここで、本実施形態の各開口部と第２電極部とは対向配置されているが、必ずしも対向配置する必要はない。
【００２２】
導電性部材８には、導電ペースト（例えば、藤倉化成（株）「ドータイトＤ−５５０」商標）を使用すると、加熱することなく常温環境に放置した状態で電極２ａ，２ｂとの導通をとることができる。
【００２３】
さらに、開口部３ａは、下面を形成する基板１ｂ表面の、開口部３ｂとは異なる位置に巻きまわされた導電性テープ７ａで覆われ、開口部３ｂは、上面を形成する基板１ａ表面の、開口部３ａとは異なる位置に巻きまわされた導電性テープ７ｂで覆われている。これらの導電性テープ７ａ，７ｂそれぞれは、開口部３ａ，３ｂで導電部材８とそれぞれ導通している。したがって、外部の接続端子を導電性テープ７ａ，７ｂそれぞれに接触させると各電極２ａ，２ｂと導通を取ることができる。
【００２４】
ここで、導電性テープ７ａ，７ｂには、開口部３ａ，３ｂより少し広幅の銅箔テープが用いられ、開口部３ａ，３ｂの周囲に貼付される。
【００２５】
電極２ａ，２ｂには、導電性を有する材料であれば特に制限はないが、導電性の他、さらに透明性を有する材料を用いることが好ましい。具体的にはＮＥＳＡ膜や酸化インジウム又は酸化インジウムと酸化錫との混合物からなるＩＴＯ（ｉｎｄｉｕｍ  ｔｉｎ  ｏｘｉｄｅ）膜などが用いられる。
【００２６】
また基板に電極を形成する方法は特に制限されず、蒸着、スパッタリング等の方法によって形成される。
【００２７】
電極２ａ，２ｂは、必要とする表示内容に応じてエッチングすることによりドットマトリクス表示用のストライプ状電極パターンとしたり、セグメント表示用電極パターンとすることもできるし、さらに、ストライプ状電極パターンとセグメント表示用電極パターンとを混在させてもよい。
【００２８】
基板１ａ，１ｂには、可視光線に対して透明な可撓性の材料が用いられる。プラスチックフイルム基板の素材としては、ポリスチレン、ポリエーテルスルホンなどの非結晶性ポリマーや、ポリエチレン、ポリプロピレンなどのポリオレフィンや、ポリカーボネート、ナイロンなどのポリアミドをあげることができる。厚さは、０．３ｍｍ以下、好ましくは２０〜２００μｍのものを使用することができる。また、透明基板１ａ，１ｂの表面には必要に応じて耐磨耗層、ガスバリア層、反射防止層、防汚層などの機能膜を形成してもよい。
【００２９】
液晶層５には、高分子の支持多孔構造中にコレステリック液晶をドロップレット分散させたものでＰＤＬＣ構造を形成することにより液晶のまわりにカプセルを形成したものを用いることができる。液晶層５を構成するコレステリック液晶には、シッフ塩基系、アゾ系、アゾキシ系、ビフェニル系、ターフェニル系、安息香酸エステル系、トラン系、ピリミジン系、シクロヘキサンカルボン酸エステル系、フェニルシクロヘキサン系、ジオキサン系などの正の誘電率異方性を有するネマチック液晶、またはこれらの混合物に、エステル誘導体、シアノビフェニル誘導体、ビスアニール誘導体などの、光学活性なカイラル剤を添加した材料が用いられる。
【００３０】
本実施形態では、液晶層５が１層のものを用いるが、液晶層５を多数積層することもできる。その場合、電子ペーパーをカラー表示させるには、液晶層５を、青色を表示させる層、緑色を表示させる層、赤色を表示させる層の３層構造とすることができる。コレステリック液晶の螺旋ピッチは、ネマチック液晶に対するカイラル剤の添加量で調整する。例えば、表示色を青にする場合には、選択反射の中心波長を４００〜５００ｎｍ、表示色を緑にする場合には、選択反射の中心波長を５００〜６００ｎｍ、表示色を赤にする場合には選択反射の中心波長を６００〜７００ｎｍの範囲になるようにする。コレステリック液晶の螺旋ピッチの温度依存性を補償する目的で捩れ方向が異なったり、あるいは逆に働く温度依存性を示す複数のカイラル剤を添加しても良い。
【００３１】
液晶層５に、コレステリック液晶と透明樹脂からなる自己保持型液晶と樹脂との複合体を形成する場合には、コレステリック液晶の連続相中に網目状の樹脂を含むＰＮＬＣ（Ｐｏｌｙｍｅｒ  Ｎｅｔｗｏｒｋ  Ｌｉｑｕｉｄ  Ｄｒｙｓｔａｌ）構造や、高分子の骨格中にコレステリック液晶をドロップレット状に分散させたＰＤＬＣ（Ｐｏｌｙｍｅｒ  Ｄｉｓｐｒｅｄ  Ｌｉｑｕｉｄ  Ｃｒｙｓｔａｌ）構造を用いることができる。
【００３２】
ＰＮＬＣ構造やＰＤＬＣ構造は高分子と液晶を相分離させる方法、例えばアクリル系、チオール系、エポキシ系などの、熱や光、電子線などによって重合する高分子前駆体と液晶を混合し、均一相の状態から重合させて相分離させるＰＩＰＳ（Ｐｏｌｙｍｅｒｉｚａｔｉｏｎ  Ｉｎｄｕｃｅｄ  Ｐｈａｓｅ  Ｓｅｐａｒａｔｉｏ）法、ポリビニルアルコールなどの液晶溶解度が低い高分子と液晶を混合し、攪拌懸濁させて液晶を高分子中にドロップレット分散させるエマルジョン法、熱可塑性高分子と液晶を混合し、均一相に加熱した状態から冷却して相分離させるＴＩＰＳ（Ｔｈｅｒｍａｌｌｙ  Ｉｎｄｕｃｅｄ  Ｐｈａｓｅ  Ｓｅｐａｒａｔｉｏｎ）法、高分子と液晶をクロロホルムなどの溶媒に溶かし、溶媒を蒸発させて高分子と液晶を相分離させるＳＩＰＳ（Ｓｏｌｖｅｎｔ  Ｉｎｄｕｃｅｄ  Ｐｈａｓｅ  Ｓｅｐａｒａｔｉｏｎ）法などによって形成することができるが、これらに限定されるものではない。
【００３３】
光導電層４には、電荷移動錯体型、共晶錯体型、積層型のいずれの形式を用いてもよい。具体的にはポリ−Ｎ−ビニルカルバゾール／２，４，７−トリニトロフルオレノン系、ビリリウム塩とポリカーボネートとの共晶体にトリフェニルメタン系化合物を分散させたもの、アゾ化合物やフタロシアニン化合物などの有機顔料からなる電荷発生材料と電荷担体の低分子輸送物質をポリエステル、ポリカーボネートなどの汎用樹脂中に溶解分散させた電荷輸送材料を層状に分離して形成したものなどを用いることができるが、特定の光の露光によって誘電率や導電率が大きく変化する機能を有するものであれば特に限定する必要はない。
【００３４】
遮光層６には、例えば、ブラックポリイミド（日本化薬社（株）「ＢＫＲ−１０５」）をスピンコート法で０．７μｍ厚に形成したり、ブラックポリイミド（大日本インキ（株）「ＣＫ７８００Ｌ」）をスピンコーターで１．２μｍ厚に形成することができる。このようにして形成された遮光膜６は、可視光をほとんど透過させない。
【００３５】
図３は、本実施形態の第２電極部と開口部のＡ−Ａ’の断面図である。
【００３６】
図３に示すように、各基板１ａ，１ｂは、非表示領域の相互に異なる位置に開口部３ａ，３ｂを有する。上面の基板１ａに形成された第２電極部２ａ２は、下面の基板１ｂに形成された開口部３ｂに対向し、第２電極部２ａ２と開口部３ｂとの間には、導電部材８が充填される。また、下面の基板１ｂに形成された第２電極部２ｂ２は、上面の基板１ａに形成された開口部３ａに対向し、第２電極部２ｂ２に対向する開口部３ａとの間には、導電部材８が充填される。なお、上面の基板１ａと下面の基板１ｂとの間は接着剤１０で貼り合わされる。
【００３７】
開口部３ａは、下面を形成する基板１ｂ表面の、開口部３ｂとは異なる位置に巻きまわされた導電性テープ７ａで覆われ、導電部材８は、その導電性テープ７ａと導通している。
【００３８】
上面の基板１ａの開口部３ａから液晶層５、遮光膜６、光導電層４が形成されていない非表示領域に充填された導電性部材８は、下面の基板１ｂに形成された第２電極部２ｂ２と接触して電極２ｂと導通する。したがって、電極２ｂは、導電部材８と導通する導電性テープ７ａを介して外部接続端子に接続される。
【００３９】
同様に、開口部３ｂは、上面の基板１ａ表面の、開口部３ａとは異なる位置に巻きまわされた導電性テープ７ｂで覆われ、その導電部材８は、その導電性テープ７ｂと導通している。
【００４０】
下面の基板１ｂの開口部３ｂから液晶層５、遮光膜６、光導電層４が形成されていない非表示領域に充填された導電性部材８は、上面の基板１ａに形成された第２電極部２ａ２と接触して電極２ａと導通する。したがって、電極２ａは、導電部材８と導通する導電性テープ７ｂを介して外部接続端子に接続される。
【００４１】
図４は、本実施形態の電子表示媒体の平面図である。
【００４２】
図４に示す電子表示媒体は、一対の基板１ａ、１ｂと、一対の基板の内面に形成された電極２ａ、２ｂと、上面の基板１ａに形成された開口部を覆う導電性テープ７ａと、下面の基板１ｂに形成された開口部を覆う導電性テープ７ｂとを有し、液晶層、遮光膜および光導電層を挟んで図中の破線部分１０で接着されて貼り合わされている。
【００４３】
ＰＥＴフィルム基板（厚み１２５μｍ）１ａにＩＴＯ電極２ａがパターニングされ、その上に、機能性薄膜印刷装置又はダイヘッドコーターやアプリケーターにより、コレステリック液晶がポリマーで封入されたカプセルを分散させた溶液を塗布する。
【００４４】
このようなカプセルを分散させた液晶は２枚の透明な基板間に電界が印加されない場合は、カプセル内の液晶で光が反射し、液晶が乳白色に視認できる。
【００４５】
また、２枚の透明な基板間に電界が印加される場合は液晶およびカプセル内の液晶が透明になる。
【００４６】
ＰＥＴフィルム基板（厚み１２５μｍ）１ａにＩＴＯ電極２ａをパターニングし、その上に、機能性薄膜印刷装置又はダイヘッドコーターやアプリケーターにより、コレステリック液晶をポリマーで封入したカプセルを分散させた溶液が塗布される。
【００４７】
コレステリック液晶溶液の塗布膜厚は、溶媒が蒸発した時のコレステリック液晶が、カプセルの直径と同程度あるいはそれ以上の膜厚となるように設定する。液晶を溶解する溶媒には、芳香族系、脂肪族系、アルコール系等の一般的なものを用いることができる。
【００４８】
コレステリック液晶は、一対の透明基板が重ね合わされる領域よりも小さい領域に塗布される。
【００４９】
ここで、本実施形態では、機能性薄膜印刷装置やダイヘッドコーターあるいはアプリケーターを用いて、コレステリック液晶の塗布を行っているが、例えばスクリーン印刷のように印刷版を使用するものや、ディスペンサやスプレーコーターのように塗布領域を移動させるものを用いても行うことができる。
【００５０】
コレステリック液晶を塗布した後は基板を加熱又は常温放置して、溶媒を蒸発させる。加熱の方法としては、例えばホットプレートを用いてコレステリック液晶を塗布した基板をその上に載置する方法、温風の吹き付けによる方法、赤外線やマイクロ波の照射による方法、コレステリック液晶塗布基板１ａのコレステリック液晶塗布面の裏側から加熱ステンレスロール等の加熱金属ロールを押し当てて加熱する方法等が挙げられる。
【００５１】
本実施形態では、コレステリック液晶を塗布した上面の基板１ａを常温で一日放置することにより、溶媒を蒸発させ、液晶層３を形成している。
【００５２】
ここで、透明基板上の電極にコレステリック液晶を塗布する方法を示したが、透明基板上の電極と、もう一方の透明基板の電極上に形成されたコレステリック液晶との間に光導電体や遮光膜を形成する場合も、本塗布方法と同様に行うことができる。
【００５３】
次いで、上面の基板１ａのコレステリック液晶塗布面に、電極２ｂが形成された下面の基板１ｂ（ＰＥＴ、厚さ１２５μｍ）を電極面がコレステリック液晶塗布面に接するようにして積層する。
【００５４】
積層方法としては、コレステリック液晶を塗布した上面の基板１ａを、光導電体４が塗布された下面の基板１ｂに合わせ、加熱ヒーターが内蔵された２本のローラー間を通過させるかことにより行う。あるいはコレステリック液晶が塗布された上面の基板１ａを、加熱ヒーターを内蔵した平坦ステージに、電極２ａが形成された面の裏面側で固定し、他方の下面の基板１ｂは、平坦ステージに固定された上面の基板１ａの電極２ａと、下面の基板１ｂの電極２ｂとが互いに内面を向き合うように位置あわせし加熱ヒーター内蔵の貼り付けヘッドに電極２ｂが形成された面の裏面側で吸着固定させることにより行う。
【００５５】
基板ラミネーターは貼り付けヘッドに吸着固定された基板１ｂの電極２ｂ面が、上面の基板１ａのコレステリック液晶が塗布された面と互いに向き合うように位置合わせし、端部より、同じく内部に加熱ヒーターを内蔵した貼り付けローラーを移動させて順次積層する。
【００５６】
本実施形態の電子ペーパーは、上面の基板１ａ上の電極２ａおよび下面の基板１ｂ上の電極２ｂと、外部接続端子との接続を行う、開口部３ｂを覆う導電性テープ７ｂとの間は、微細加工による配線パターニングが不要であり、従来から用いられる表示画像書き込み用コネクターと上面の電極２ａおよび下面の電極２ｂとの位置合わせを行う必要がない。
【００５７】
図５は、本実施形態の電子表示媒体の等価回路を示す図である。
【００５８】
電子表示媒体に光書き込みを行う原理は、画素毎に光量調整された光が照射された状態で、それぞれコンデンサと抵抗との並列回路であらわされる光導電層および液晶層を含む電子表示媒体全体にパルス電圧を印加することにより、画素毎に表示状態と非表示状態とを切り替えるものである。すなわち、電子表示媒体は、液晶層と光導電層との直列回路であり、光導電層は、光の照射された画素が低インピーダンスとなり、光の照射されない画素が高インピーダンスとなる性質がある。そのため、液晶層に印加されるパルス電圧の分圧が変化し、液晶層の光学特性が画素毎に変化し、表示状態と非表示状態とが切り替わる。
【００５９】
Ｃａは、液晶層５の静電容量、Ｃｂは、光導電層４の静電容量、Ｒａは、液晶層５の抵抗値、Ｒｂは有機光導電体層４の抵抗値をそれぞれ表している。
【００６０】
電子表示媒体の電極２ａと電極２ｂと間に印加される電圧をＶとすると、一般に、液晶層５の抵抗値Ｒａと光導電体層４の抵抗値Ｒｂとは十分に大きいため、液晶層に印加される電圧Ｖａは、Ｖａ＝（Ｃｂ／Ｃ）×Ｖとなる。
【００６１】
ここで  Ｃ＝ＣａＣｂ／（Ｃａ＋Ｃｂ）である。
【００６２】
光導電層４として電荷移動錯体型または共晶錯体型の有機感光体を用いる場合には、単純に塗布膜厚を制御することによって、また積層型の有機感光体を用いる場合には、より単純に電荷輸送層の膜厚を制御することによって十分な分圧電圧を得ることができる。
【００６３】
一方、液晶層５のスイッチング挙動は液晶層５を構成するコレステリック液晶の誘電率異方性、弾性率、螺旋ピッチ、高分子の骨格構造や側鎖、相分離プロセス、高分子と液晶の界面のモルフォロジ―、これらの総合によって決まる高分子と液晶の界面におけるアンカリング効果の程度などによって、制御することができる。
【００６４】
具体的には、ネマチック液晶の種類や組成比、カイラル剤の種類、樹脂の種類、高分子樹脂の出発物質であるモノマー、オリゴマー、開始剤、架橋剤などの種類や組成比、重合温度、光重合のための露光光源、露光強度、露光時間、雰囲気温度、電子線重合のための電子線強度、暴露時間、雰囲気温度、塗布時の溶媒の種類や組成比、溶液濃度、ウエット膜厚、乾燥温度、温度降下時の開始温度、温度降下速度などがあるが、これらに限定されない。
【００６５】
図６は、電子表示媒体に印加される電圧に対する液晶層のスイッチング挙動の一例を示す図である。
【００６６】
図６に示す電子表示媒体の液晶層の分子配列は、所定の範囲内の電圧が印加されたときは、光の反射率が低いフォーカルコニック相に変化し、その範囲内より低いか、あるいは高いときは、光の反射率が高いフォーカルコニック相に変化する。
【００６７】
本実施形態の電子表示媒体における液晶層５は、プレーナー相からフォーカルコニック相へ変化する閾値電圧は、露光光を照射した露光時にはＶｐｆｅ、露光光を照射しない非露光時にはＶｐｆｕ、フォーカルコニック相からプレーナー相へ変化する閾値電圧は、露光時にはＶｆｐｅ、非露光時にはＶｆｐｕとなる。
【００６８】
図７および図８は、電子表示媒体に画像を記録する際の電圧印加と露光のタイミングの一例、およびそれによる液晶層の反射率の変化を示す。
【００６９】
第１段（Ａ）は、交流パルスの印加状態、第２段（Ｂ）は、露光タイミング、第３段（Ｃ）は、露光された領域の反射率、第４段（Ｄ）は、露光されない領域の反射率を表わしている。
【００７０】
図７（Ａ）に示すように、先ず、Ｖｆｐｕ以上の交流パルス電圧Ｖｂを期間Ｔ１印加する。すると、図７（Ｃ）、（Ｄ）に示すように、液晶層５は、露光とは無関係にプレーナー相となり高反射率を示し、その後、電圧Ｖｂの印加が停止されても、プレーナー相が維持され、高い反射率が保持される。
【００７１】
次に、図７（Ａ）に示すように、Ｖｐｆｅ以上で、Ｖｐｆｕ以下の交流パルス電圧Ｖａを期間Ｔ２印加する。このとき、図７（Ｂ）（Ｃ）に示すように、露光が始まるまでは、プレーナー相が保持され、高い反射率が保持されているが、図７（Ｂ）に示すように、露光が開始されると、露光された領域は、図７（Ｃ）に示すように、液晶層３の分圧が増加し、液晶層５はプレーナー相からフォーカルコニック相に変化する。露光が終わっても、フォーカルコニック相はメモリ性があるので、液晶層５は低い反射率を保持する。  一方、露光を受けない領域は、図７（Ｄ）に示すように、Ｖｐｆｅ以上で、Ｖｐｆｕ以下の交流パルス電圧Ｖａが印加されることにより、形成されたプレーナー相が最後まで保持される。
【００７２】
また、図８（Ａ）に示すように、先ず、Ｖｆｐｅ以上、Ｖｆｐｕ以下の電圧Ｖｃを印加しながら、図８（Ｂ）に示すように光導電層全体を露光することによって、図８（Ｃ）、（Ｄ）に示すように液晶層は、プレーナー相となり高反射率を示し、その後、電圧Ｖｃの印加と露光が停止されても、プレーナー相が維持され、高い反射率が保持される。
【００７３】
次に、図８（Ａ）に示すように、Ｖｐｆｅ以上で、Ｖｐｆｕ以下の交流パルス電圧Ｖａを期間Ｔ２印加する。このとき、図８（Ｂ）（Ｃ）に示すように、露光が始まるまでは、プレーナー相が保持され、高い反射率が保持されているが、図８（Ｂ）に示すように、露光が開始されると、露光された領域は、図８（Ｃ）に示すように、液晶層３の分圧が増加し、液晶層５はプレーナー相からフォーカルコニック相に変化する。露光が終わっても、フォーカルコニック相はメモリ性があるので、液晶層５は低い反射率を保持する。  一方、露光を受けない領域は、図８（Ｄ）に示すように、Ｖｐｆｅ以上で、Ｖｐｆｕ以下の交流パルス電圧Ｖａが印加されることにより、形成されたプレーナー相が最後まで保持される。
【００７４】
【発明の効果】
以上に説明したように、本発明の電子表示媒体によれば、電極からコネクタなどの電極端子へ微細な配線を施す必要がなく、曲げに対しても柔軟に対応することができるとともに、曲げや、外部接続端子との繰り返し接続が行われても断線や基板剥がれによる画像欠陥が起こりにくい。
【図面の簡単な説明】
【図１】基板の一部を露出させた電子表示媒体の一例を示す断面構造である。
【図２】本実施形態の電子表示媒体を示す図である。
【図３】本実施形態の第２電極部と開口部のＡ−Ａ’の断面図である。
【図４】本実施形態の電子表示媒体の平面図である。
【図５】本実施形態の電子表示媒体の等価回路を示す図である。
【図６】電子表示媒体に印加される電圧に対する液晶層のスイッチング挙動の一例を示す図である。
【図７】電子表示媒体に画像を記録する際の電圧印加と露光のタイミングの一例、およびそれによる液晶層の反射率の変化を示す。
【図８】電子表示媒体に画像を記録する際の電圧印加と露光のタイミングの一例、およびそれによる液晶層の反射率の変化を示す。
【符号の説明】
１ａ，１ｂ  基板
１ａ１，１ｂ１  表示領域
２ａ，２ｂ  電極
２ａ１，２ｂ１  第１電極部
２ａ２，２ｂ２  第２電極部
３ａ，３ｂ  開口部
４  光導電層
５  液晶層
６  遮光層
７ａ，７ｂ  導電性テープ
８  導電部材
１０  接着剤
【図１】
2004177474.tif 000003
【図２】
2004177474.tif 000004
【図３】
2004177474.tif 000005
【図４】
2004177474.tif 000006
【図５】
2004177474.tif 000007
【図６】
2004177474.tif 000008
【図７】
2004177474.tif 000009
【図８】
2004177474.tif 000010